【手続補正書】
【提出日】平成23年12月5日(2011.12.5)
【手続補正１】
【補正対象書類名】特許請求の範囲
【補正対象項目名】全文
【補正方法】変更
【補正の内容】
【特許請求の範囲】
【請求項１】
第１の電子制御装置（２２、３２）を有する第１の技術的装置（２０、３０）の、少なくとも１つの動作状態を視覚的に表示するための、少なくとも１つの第１の点灯素子を備える、少なくとも１つの第１の点灯ユニット（２）を有する第１の警告ランプ（１、８）と、
第２の電子制御装置（２２、３２）を有する第２の技術的装置（２０、３０）の、少なくとも１つの動作状態を視覚的に表示するための、少なくとも１つの第２の点灯素子を備える、少なくとも１つの第２の点灯ユニット（２）を有する第２の警告ランプ（１、８）と、を備え、
前記技術的装置（２０、３０）の間においては、データおよび／または制御信号を伝送するための電子機器接続手段（３１）が設けられている警告灯装置であって、
前記第１の技術的装置（２０、３０）の前記第１の電子制御装置（２２、３２）、および／もしくは、前記第２の技術的装置（２０、３０）の前記第２の電子制御装置（２２、３２）とは別に、ならびに／または、前記電子機器接続手段（３１）とは別に、少なくとも２つの警告ランプ（１、８）の間においてデータおよび／または制御信号を伝送するための少なくとも１つの電子警告ランプ接続手段（６、９、１１、１３）を備え、更に、
前記電子警告ランプ接続手段（６、９、１１、１３）は、無線による制御信号および／またはデータの伝送のための少なくとも１つの送信機（１１）および／または受信機（１１）を備えること
を特徴とする警告灯装置。
【請求項２】
請求項１に記載の警告灯装置であって、
前記警告ランプ（１、８）の少なくとも１つは、前記技術的装置（２０、３０）の複数の異なる動作状態を視覚的に表示するために設けられていること
を特徴とする警告灯装置。
【請求項３】
請求項１または２に記載の警告灯装置であって、
少なくとも、前記第１および／または前記第２の警告ランプ（１、８）の少なくとも１つの動作状態を視覚的に表示するための、少なくとも１つの表示装置（８、１０）を備え、
前記電子警告ランプ接続手段（６、９、１１、１３）は、少なくとも前記第１および／または前記第２の警告ランプ（１、８）と前記表示装置（８、１０）との間において、データおよび／または制御信号を伝送するために構成されていること
を特徴とする警告灯装置。
【請求項４】
請求項３に記載の警告灯装置であって、
前記表示装置（８、１０）の少なくとも１つは、前記警告ランプ（１、８）の複数の異なる動作状態を視覚的に表示するために設けられていること
を特徴とする警告灯装置。
【請求項５】
請求項３または４に記載の警告灯装置であって、
前記表示装置（８、１０）は、少なくとも１つのモジュール点灯素子を備えた少なくとも１つの交換モジュール（２）を有する、シグナルコラム（１、８）として構成されていること
を特徴とする警告灯装置。
【請求項６】
請求項５に記載の警告灯装置であって、
前記シグナルコラム（１、８）は、少なくとも１つのモジュール点灯素子をそれぞれ備える、複数の交換モジュール（２）を有すること
を特徴とする警告灯装置。
【請求項７】
請求項５または６に記載の警告灯装置であって、
前記シグナルコラム（１、８）の交換モジュール（２）の数は、前記第１および／または前記第２の警告ランプ（１、８）の点灯ユニット（２）の数に対応すること
を特徴とする警告灯装置。
【請求項８】
請求項５または６に記載の警告灯装置であって、
前記シグナルコラム（１、８）の交換モジュール（２）の数は、前記警告ランプ（１、８）の数に対応すること
を特徴とする警告灯装置。
【請求項９】
請求項１〜８のうちのいずれか１項に記載の警告灯装置であって、
前記電子警告ランプ接続手段（６、９、１１、１３）は、少なくとも２つの異なる前記警告ランプ（１、８）の動作状態を検出するための、少なくとも１つの中央検出装置（９、１０）を備えること
を特徴とする警告灯装置。
【請求項１０】
請求項１〜４のうちのいずれか１項に記載の警告灯装置であって、
前記警告ランプ（１、８）の少なくとも１つ、および／または前記点灯ユニット（２）の少なくとも１つのオン／オフを、制御するおよび／または切り替えるための、少なくとも１つの中央制御装置（９）が設けられていること
を特徴とする警告灯装置。
【請求項１１】
請求項５〜８のうちのいずれか１項に記載の警告灯装置であって、
前記警告ランプ（１、８）の少なくとも１つ、および／または前記点灯ユニット（２）の少なくとも１つ、および／または前記シグナルコラム（１、８）の少なくとも１つ、および／または前記交換モジュール（２、１２）の少なくとも１つのオン／オフを、制御するおよび／または切り替えるための、少なくとも１つの中央制御装置（９）が設けられていること
を特徴とする警告灯装置。
【請求項１２】
請求項１０または１１に記載の警告灯装置であって、
前記電子警告ランプ接続手段（６、９、１１、１３）は、少なくとも２つの異なる前記警告ランプ（１、８）の動作状態を検出するための、少なくとも１つの中央検出装置（９、１０）を備え、
前記中央検出装置（９、１０）は、少なくとも前記中央制御装置（９）を備えること
を特徴とする警告灯装置。
【請求項１３】
請求項９または１２に記載の警告灯装置であって、
前記中央検出装置（９、１０）が、コンピュータ（９、１０）として構成されていること、
を特徴とする警告灯装置。
【請求項１４】
請求項１０〜１２のうちのいずれか１項に記載の警告灯装置であって、
前記中央制御装置（９）が、コンピュータ（９、１０）として構成されていること、
を特徴とする警告灯装置。
【請求項１５】
請求項１〜４，１０のうちのいずれか１項に記載の警告灯装置であって、
前記警告ランプ（１、８）のそれぞれ、および／または前記点灯ユニット（２）のそれぞれには、少なくとも１つのアドレスおよび／または１つのコードが割り当てられること
を特徴とする警告灯装置。
【請求項１６】
請求項５〜８，１１のうちのいずれか１項に記載の警告灯装置であって、
前記警告ランプ（１、８）のそれぞれ、および／または前記点灯ユニット（２）のそれぞれ、および／または前記シグナルコラム（１、８）のそれぞれ、および／または前記交換モジュール（２、１２）のそれぞれには、少なくとも１つのアドレスおよび／または１つのコードが割り当てられること
を特徴とする警告灯装置。
【請求項１７】
請求項１〜４，１０，１５のうちのいずれか１項に記載の警告灯装置であって、
前記警告ランプ（１、８）の少なくとも１つの、および／または前記点灯ユニット（２）の少なくとも１つの前記動作状態を記憶するための少なくとも１つの電気的データメモリ（９）が設けられていること
を特徴とする警告灯装置。
【請求項１８】
請求項５〜８，１１，１６のうちのいずれか１項に記載の警告灯装置であって、
前記警告ランプ（１、８）の少なくとも１つの、および／または前記点灯ユニット（２）の少なくとも１つの、および／または前記シグナルコラムの少なくとも１つの、および／または前記交換モジュール（２、１２）の少なくとも１つの前記動作状態を記憶するための少なくとも１つの電気的データメモリ（９）が設けられていること
を特徴とする警告灯装置。
【請求項１９】
請求項１〜４，１０，１５，１７のうちのいずれか１項に記載の警告灯装置であって、
前記警告ランプ（１、８）の少なくとも１つの、および／または前記点灯ユニットの少なくとも１つの、前記動作状態を視覚的に表示するための、少なくとも１つのディスプレイ装置（１０）が設けられていること
を特徴とする警告灯装置。
【請求項２０】
請求項５〜８，１１，１６，１８のうちのいずれか１項に記載の警告灯装置であって、
前記警告ランプ（１、８）の少なくとも１つの、および／または前記点灯ユニットの少なくとも１つの、および／またはシグナルコラム（１、８）の少なくとも１つの、および／または前記交換モジュール（２、１２）の少なくとも１つの、前記動作状態を視覚的に表示するための、少なくとも１つのディスプレイ装置（１０）が設けられていること
を特徴とする警告灯装置。
【請求項２１】
請求項１９に記載の警告灯装置であって、
前記ディスプレイ装置（１０）は、前記警告ランプ（１、８）の全て、および／または前記点灯ユニット（２）の全て、および／または前記電子警告ランプ接続手段（６、９、１１、１３）の全てを表示するために構成されていること
を特徴とする警告灯装置。
【請求項２２】
請求項２０に記載の警告灯装置であって、
前記ディスプレイ装置（１０）は、前記警告ランプ（１、８）の全て、および／または前記点灯ユニット（２）の全て、および／または前記シグナルコラム（１、８）の全て、および／または前記交換モジュール（２、１２）の全て、および／または前記電子警告ランプ接続手段（６、９、１１、１３）の全てを表示するために構成されていること
を特徴とする警告灯装置。
【請求項２３】
請求項１９〜２２のうちのいずれか１項に記載の警告灯装置であって、
前記ディスプレイ装置（１０）は、スクリーン（１０）として構成されていること
を特徴とする警告灯装置。
【請求項２４】
第１の電子制御装置（２２、３２）を有する第１の技術的装置（２０、３０）の、少なくとも１つの動作状態を視覚的に表示するための、少なくとも１つの第１の点灯素子を備える、少なくとも１つの第１の点灯ユニット（２）を有する第１の警告ランプ（１、８）と、
第２の電子制御装置（２２、３２）を有する第２の技術的装置（２０、３０）の、少なくとも１つの動作状態を視覚的に表示するための、少なくとも１つの第２の点灯素子を備える、少なくとも１つの第２の点灯ユニット（２）を有する第２の警告ランプ（１、８）と、を備える警告灯装置であって、
前記第１の技術的装置（２０、３０）の前記第１の電子制御装置（２２、３２）、および／または、前記第２の技術的装置（２０、３０）の前記第２の電子制御装置（２２、３２）とは別に、少なくとも２つの警告ランプ（１、８）の間においてデータおよび／または制御信号を伝送するための少なくとも１つの電子警告ランプ接続手段（６、９、１１、１３）を備え、更に、
前記電子警告ランプ接続手段（６、９、１１、１３）は、無線による制御信号および／またはデータの伝送のための少なくとも１つの送信機（１１）および／または受信機（１１）を備えること
を特徴とする警告灯装置。
【請求項２５】
請求項２４に記載の警告灯装置であって、
前記技術的装置（２０、３０）の間において、データおよび／または制御信号を伝送するための電子機器接続手段（３１）が設けられ、
前記電子機器接続手段（３１）とは別に、少なくとも２つの警告ランプ（１、８）の間においてデータおよび／または制御信号を伝送するための少なくとも１つの電子警告ランプ接続手段（６、９、１１、１３）が設けられていること
を特徴とする警告灯装置。
【請求項２６】
警告灯システムであって、
複数の技術的装置（２０、３０）と警告灯装置とを備え、
前記警告灯装置は、
第１の電子制御装置（２２、３２）を有する第１の技術的装置（２０、３０）の、少なくとも１つの動作状態を視覚的に表示するための、少なくとも１つの第１の点灯素子を備える、少なくとも１つの第１の点灯ユニット（２）を有する第１の警告ランプ（１、８）と、
第２の電子制御装置（２２、３２）を有する第２の技術的装置（２０、３０）の、少なくとも１つの動作状態を視覚的に表示するための、少なくとも１つの第２の点灯素子を備える、少なくとも１つの第２の点灯ユニット（２）を有する第２の警告ランプ（１、８）と、を備え、
前記技術的装置（２０、３０）の間においては、データおよび／または制御信号を伝送するための電子機器接続手段（３１）が設けられ、
前記第１の技術的装置（２０、３０）の前記第１の電子制御装置（２２、３２）、および／もしくは、前記第２の技術的装置（２０、３０）の前記第２の電子制御装置（２２、３２）とは別に、ならびに／または、前記電子機器接続手段（３１）とは別に、少なくとも２つの警告ランプ（１、８）の間においてデータおよび／または制御信号を伝送するための少なくとも１つの電子警告ランプ接続手段（６、９、１１、１３）を備え、更に、
前記電子警告ランプ接続手段（６、９、１１、１３）は、無線による制御信号および／またはデータの伝送のための少なくとも１つの送信機（１１）および／または受信機（１１）を備えること
を特徴とする警告灯システム。